(57)【要約】      （修正有）【課題】壁面、天井面に固定する室内配置物のレイアウト変更を容易に、行い得る技術の提供。【解決手段】壁面および／又は天井面の一部若しくは全面に連続して貼設するパネルを利用した、固定物のフリーレイアウトシステムであって、当該パネルは、硬質樹脂により成形され、ねじ孔、裏面周囲縁部の立ち上がり２、壁面又は天井面とパネル面との間に一定の空間を確保するためのスペーサー３を有し、当該スペーサー３には家電製品等の電源コードや弱電ケーブル等の配線を通すための切り欠き部４が設けられ、隣接するパネル間には一定幅の隙間を確保し、パネル貼設後に、上下方向および左右方向、若しくは斜め方向に伸びるスリットを確保し、当該縦横スリットを利用して金具により固定物を壁面および／又は天井面へ任意に固定させることを特徴とする。【選択図】図１
2004353317.tif 000002
【特許請求の範囲】
【請求項１】
壁面および／又は天井面の一部若しくは全面に連続して貼設するパネルを利用した、固定物のフリーレイアウトシステムであって、
当該パネルは、硬質樹脂により成形され、ねじ孔、裏面周囲縁部の立ち上がり、壁面又は天井面とパネル面との間に一定の空間を確保するためのスペーサーを有し、
当該スペーサーには家電製品等の電源コードや弱電ケーブル等の配線を通すための切り欠き部が設けられ、
隣接するパネル間には一定幅の隙間を確保し、パネル貼設後に、上下方向および左右方向、若しくは斜め方向に伸びるスリットを確保し、
当該縦横スリットを利用して金具により固定物を壁面および／又は天井面へ任意に固定させることを特徴とするパネルを利用した固定物のフリーレイアウトシステム。
【請求項２】
壁面および／又は天井面の一部若しくは全面に連続して貼設するパネルであって、当該パネルは、硬質樹脂により成形され、ねじ孔、裏面周囲縁部の立ち上がり、壁面又は天井面とパネル面との間に一定の空間を確保するためのスペーサーを有し、当該スペーサーには家電製品等の電源コードや弱電ケーブル等の配線を通すための切り欠き部を設けたことを特徴とするパネル。
【請求項３】
固定物の壁面への固定時に使用される請求項１記載の金具は、２つの挟持片を有し、一の挟持片の中央より垂設されたボルトに他の挟持片をナットにて螺嵌する構造であり、これら支持片のうち、少なくとも前記一の支持片は楕円若しくは矩形をなし、長手方向には前記縦横スリット巾より長く、長手方向に直交する方向には当該スリット巾より短くしてなり、固定物の壁面への固定時には当該２つの挟持片間に、前記パネルと固定物のパネルに接する一面とを挟持し、かつ、壁面とパネル裏面との間に納まる前記一の挟持片の両端部にパネル裏面周囲縁部の立ち上がりに係止する凸部を設けたことを特徴とする請求項１記載のパネルを利用した固定物のフリーレイアウトシステム。
【請求項４】
固定物の天井面への固定時に使用される請求項１記載の金具は、支持片および先端Ｕ字状の棒状体からなる略Ｔ字状をなし、当該支持片は楕円若しくは矩形をなし、長手方向には前記縦横スリット巾より長く、長手方向に直交する方向には当該スリット巾より短くしてなり、当該支持片の両端部にパネル裏面周囲縁部の立ち上がりに係止する凸部を設けたことを特徴とする請求項１記載のパネルを利用した固定物のフリーレイアウトシステム。
【請求項５】
壁面および／又は天井面の一部若しくは全面に連続してパネルを貼設する方法であって、
当該パネルは、硬質樹脂により成形され、ねじ孔、裏面周囲縁部の立ち上がり、壁面又は天井面とパネル面との間に一定の空間を確保するためのスペーサーを有し、当該スペーサーには家電製品等の電源コードや弱電ケーブル等の配線を通すための切り欠き部を設けられたことを特徴とし、
前記パネルを、上下方向、左右方向若しくは斜め方向に伸びる一定間隔のスリットを確保しつつ連続して貼設することを特徴とするパネルの貼設方法。
【発明の詳細な説明】
【０００１】
【発明の属する技術分野】
本発明は、縦横に一定の隙間を確保しつつ矩形パネルを壁および天井に取り付けることで、当該隙間部を利用して、家具、棚、照明その他の固定物を変更自在に壁、天井へ固定し得る技術に関するものである。
【０００２】
【従来の技術】
従来、壁に連続して配設したパネルを利用して棚等を固定する技術としては、パネルを左右一定の間隔を設けて取り付け、当該間隔部分に棚等の部材を後付け可能とすべく、予めパネル結合部分に加工を施した技術が見られる（例えば、文献１参照）。
【０００３】
【特許文献１】
特開平７−３２４４０８号公報（段落番号「０００７」）
【０００４】
【発明が解決しょうとする課題】
上記、開示された技術によれば、「相隣接した壁パネルの端面間に上下方向に伸びる隙間を形成し、前記突条における前後両側板のうち前記隙間に露出した部位に、棚板支持用等のブラケットの係止爪が抜き差し自在に嵌まる係止溝孔を上下に適宜間隔で嵌設する」との記載から明らかなように、後付けされた棚板の位置変更については、当該係止溝孔を利用し、上下方向には適宜変更することは可能であるものの、左右方向への位置変更については、パネル巾単位でしかできない。なお、上下方向の位置変更に際しても、係止溝孔のある上下方向の位置変更に限られ、微妙な上下方向の位置調整は不可能である。また、当該棚板は抜き差し自在性を便宜とする反面、重量物の載置には適さないと考えられる。
【０００５】
また、前記開示技術によれば固定物が棚板に限られており、家具や家電製品をレイアウト変更自在に後付けすることまでは考慮されてない。さらに、家電製品の配置に伴う配線処理に関する工夫、その他、壁のみならず、天井照明の位置変更など、室内における様々な固定物のレイアウトの変更に対応し得るものではなかった。
【０００６】
【課題を解決するための手段】
上記の課題を解決するために、請求項１記載のパネルを利用した固定物のフリーレイアウトシステムは、当該パネルが、硬質樹脂により成形され、ねじ孔、裏面周囲縁部の立ち上がり、壁面又は天井面とパネル面との間に一定の空間を確保するためのスペーサーを有し、当該スペーサーには家電製品等の電源コードや弱電ケーブル等の配線を通すための切り欠き部が設けられ、隣接するパネル間には一定幅の隙間を確保し、パネル貼設後に、上下方向および左右方向、若しくは斜め方向に伸びるスリットを確保し、当該縦横スリットを利用して金具により固定物を壁面および／又は天井面へ任意に固定させることを要旨とする。
【０００７】
また、請求項２記載のパネルは、当該パネルは、硬質樹脂により成形され、ねじ孔、裏面周囲縁部の立ち上がり、壁面又は天井面とパネル面との間に一定の空間を確保するためのスペーサーを有し、当該スペーサーには家電製品等の電源コードや弱電ケーブル等の配線を通すための切り欠き部を設けたことを要旨とする。
【０００８】
また、請求項３記載のレイアウトシステムは、請求項１記載の構成において、固定物の壁面への固定時に使用される請求項１記載の金具が、２つの挟持片を有し、一の挟持片の中央より垂設されたボルトに他の挟持片をナットにて螺嵌する構造であり、これら支持片のうち、少なくとも前記一の支持片は楕円若しくは矩形をなし、長手方向には前記縦横スリット巾より長く、長手方向に直交する方向には当該スリット巾より短くしてなり、固定物の壁面への固定時には当該２つの挟持片間に、前記パネルと固定物のパネルに接する一面とを挟持し、かつ、壁面とパネル裏面との間に納まる前記一の挟持片の両端部にパネル裏面周囲縁部の立ち上がりに係止する凸部を設けたことを要旨とする。
【０００９】
また、請求項４記載のレイアウトシステムは、請求項１記載の構成において、固定物の天井面への固定時に使用される請求項１記載の金具が、支持片および先端Ｕ字状の棒状体からなる略Ｔ字状をなし、当該支持片は楕円若しくは矩形をなし、長手方向には前記縦横スリット巾より長く、長手方向に直交する方向には当該スリット巾より短くしてなり、当該支持片の両端部にパネル裏面周囲縁部の立ち上がりに係止する凸部を設けたことを要旨とする。
【００１０】
また、請求項５記載のパネルの貼設方法は、当該パネルが、硬質樹脂により成形され、ねじ孔、裏面周囲縁部の立ち上がり、壁面又は天井面とパネル面との間に一定の空間を確保するためのスペーサーを有し、当該スペーサーには家電製品等の電源コードや弱電ケーブル等の配線を通すための切り欠き部を設けられたことを特徴とし、前記パネルを、上下方向、左右方向若しくは斜め方向に伸びる一定間隔のスリットを確保しつつ連続して貼設することを要旨とする。
【００１１】
【発明の実施の形態】
本発明におけるパネルを利用した壁・天井のフリーレイアウトシステムにおいて使用されるパネルは５００ｍｍ四方の矩形パネルであるが、５００ｍｍに限らず、施工の便宜を考慮してその他のサイズとしても良く、また、縦横の長さを違えることも任意である。更に、矩形に限らず、三角形、六角形等の多角形状であっても良い。
【００１２】
本発明におけるパネルを利用した壁・天井のフリーレイアウトシステムにおいては、パネル自体により収納棚等の固定物を支持するため、硬質に成形された合成樹脂をその素材とし、次の点に特徴を有する。
パネル面には４乃至９つのねじ孔を設け、またパネル裏面の周囲縁部には、後述する金具の凸部が係止する立ち上がりを設けてなる。さらに、パネル裏面と壁面または天井面との間に家電製品の電源コードや接続コード等の配線類を収納するスペースを確保するため、パネル裏面にはパネル外周より内側にスペーサとなる短壁を立て、当該スペーサには配線類の経路確保の自由度を高める（図１０）ために切り欠き部を複数設けた構造となっている。
【００１３】
次に、本発明に係るパネルの壁面および天井面への施工手順を壁を例に挙げて説明する。
まず、壁下地合板上に石膏ボードを貼り、同ボード上に化粧クロスを一面に、若しくは、パネル貼設後に形成される縦横のスリット巾より若干巾広に、即ち、パネル貼設後に、スリット間から直接目に触れる石膏ボード部分のみに、化粧クロスを格子状に貼る。そして、本発明に係るパネルを上下方向および左右方向に伸びる８ｍｍ乃至１０ｍｍ巾の一定の間隔（以下、スリットと称す）を確保しつつ壁面に上下左右連続して貼設する。その際、パネルに設けたねじ孔にパネル表面から木ねじを複数螺挿し（図２）、前記石膏ボードおよび下地合板へ螺着した後、当該ねじ孔にねじキャップ７を装着する。尚、天井面への施工方法についても上述の壁面の場合と同様である。また、当該スリット巾は、固定物の取り付け時に使用する金具のボルトの径を考慮して一定のスリット巾を決定すれば良く、デザイン面および実用面を考慮して、８ｍｍ乃至１０ｍｍ巾以外の巾とすることも任意である。
尚、パネルの貼設は、壁面、天井面の全面若しくは一部分を問わず、利用の態様に合わせて貼設すれば良い。
パネル貼設後は、壁面、天井面に縦横のスリットが壁面、天井面に確保され、また、三角形のパネルを使用した場合には斜めのスリットが確保される。なお、パネルの形状を、仮に六角形とした場合には当該スリットは上下左右方向に直線とはならないが、呈する効果は矩形パネルの場合と異なるところがない。
【００１４】本発明におけるパネルを利用した壁・天井のフリーレイアウトシステムにおいて、後述する金具を用いて室内に固定されるものとしては、棚、書庫、収納棚、箪笥等の家具類の他、壁掛けテレビ、スピーカーなどの家電製品、また、額や絵画、時計、壁掛け、鏡、壁面照明、その他装飾品、天井照明、ペンダント照明、プランターや洗濯物を吊り下げる用の金具等が挙げられる。
【００１５】請求項３に記載の金具は、前記収納棚等を壁に固定する際に用いられる固定用金具９であって、図３に示すように、２つの挟持片９ａ、９ｂとボルト９ｄ、ナット９ｅとからなり一の挟持片９ｂとボルト９ｄとは、固定物の取り付け時の便宜上、一体をなすが、別体構成としても良い。また、他の挟持片９ａとナット９ｅとを一体としても良い。
また、当該一の挟持片９ｂには図３、図５に示すように、両端に凸部９ｃを設け、パネル裏面周囲縁部の立ち上がり２と係合させて、パネルからの当該金具の脱落を防止している。尚、当該凸部９ｃの代わりに、両端を垂直に折り曲げることとしても良く、立ち上がり２と係合し、脱落を防止し得る形状であれば、他の形状によっても良い。そして、固定物の取り付け時には前記両挟持片間にパネルと固定物を挟みナット９ｅにて固定するが（図７（ｂ））、後述の実施例にて詳述する。
尚、当該支持片の形状や大きさは本発明の利用に供し得る限り、図示した形状等に限らないが、パネル裏面と壁面との間に納まる一の挟持片９ｂは、楕円形状若しくは矩形状をなし、長手方向には前記縦横スリット巾より長く、長手方向に直交する方向には当該スリット巾より短くしてなる。また、他の挟持片９ａの形状も一の挟持片９ｂと同様の形状、大きさでも良いが、固定物の取り付け孔の位置、形状、大きさとの関係で任意に決定し得る。
【００１６】請求項３に記載の金具は、プランターや洗濯物を吊り下げる用の簡易固定用金具１０であって、図４に示すように、支持片１０ａと先端Ｕ字状の棒状体１０ｃからなる略Ｔ字状をなし、当該支持片１０ａは前記縦横スリット巾より長く、長手方向に直交する方向には当該スリット巾より短くしてなり、当該支持片１０ａの両端部にパネル裏面周囲縁部の立ち上がり２に係止する凸部１０ｂを設けたことを特徴とする。なお、当該棒状体１０ｃは図示したような長さに限られず、更に長いものでも良い。また、先端の形状もＵ字状に限らず、リング状等その他、固定物を掛止し得る形状であれば良い。
【００１７】
家電製品等の電源コードや接続コード等の配線類は、前記縦横のスリットに沿って、若しくはスペーサー３に設けた切り欠き部４を利用してパネル裏面の空間に隠蔽する。そしてレイアウト変更があった場合には、変更後の当該家電製品等の設置位置に合わせて、パネル裏面等に配線経路を再確保し、隠蔽するものである。
【００１８】
また、壁面に貼設するパネルの一つに予めコンセントプレートを設けたり（図９）、天井に貼設するパネルの一つに天井照明のコンセントプレートを予め設けておき、レイアウト変更により、家電製品やペンダント照明等の設置位置が変更された場合であっても、当該パネルを変更後の家電製品の設置位置の近傍のパネルと付け替えることで、家電製品等の電源コードに係る配線経路の確保の自由度を更に大きくする。なお、かかる場合において、コンセントプレートに接続されている壁体内から通じる電源ケーブルは当該パネルの位置変更を可能とすべく余裕を持たせておくことは言うまでもない。
【００１９】
［実施例１］
本発明の第１の実施例を図１〜図３、図５〜図１０に基づいて説明する。
本実施例は、壁面に本発明を利用して、固定物を任意に取り付ける技術に関するものである。
【００２０】
図１はパネルの裏面を示す斜視図、図２はパネルの表面を示す斜視図、図３は第一の実施例に用いる金具を示す斜視図、図５はパネルを壁面に貼設した状態を示す断面図、図６は、本発明を利用した室内の様子を示した参考図、図７は、収納棚を取り付けた状態を示す図、図８は、棚を取り付けた状態を示す図、図９はパネル表面にコンセントボックス等を取り付けた図、図１０は最短距離にて配線処理を施したことを示す比較イメージ図である。
【００２１】
図中、１はパネル本体、２は立ち上がり、３はスペーサー、４は切り欠き部、５はねじ孔、６は木ねじ、７はねじキャップ、８はスリット、９は固定用金具、１１は収納棚、１２は棚、１３は壁掛けテレビ、１４はスピーカー、１７はオーディオセットを示す。
【００２２】
壁面には、予め壁下地合板に重ねた石膏ボード上に化粧クロスを貼っておき、当該化粧クロス上にパネル１を順次貼設してゆく。この際、当該パネル１表面のねじ孔５より木ねじ６を螺挿し、前記石膏ボードおよび下地合板へ螺着して固定する。本実施例においては、９本の木ねじを使用するが、固定物を支持し得る場合には更に少なくても構わない。
隣接する上下左右のパネル間は８ｍｍ巾のスリット８を設け、壁一面に貼設した後の状態は図６に示す通りである。縦スリット８ａ、横スリット８ｂによりスリット８が格子状となっている。
【００２３】
次に収納棚１１を壁面に取り付ける手順について説明する。
当該収納棚１１には、予め縦横のスリット８の間隔に合わせて取り付け孔１１ａが複数設けられており、当該取り付け孔１１ａは、固定用金具９の矩形状の支持片９ｂを挿入可能な大きさおよび形状としている。
一方、当該金具９の支持片９ａと９ｂとは、パネル１の最大厚み分と、収納棚１１の裏板厚み分の合計の厚み分以上の間隔を設けておく。そして、図７（ａ）に示すように、当該収納棚１１の内部側から、当該金具９を順次取り付け孔１１ａに嵌め込んだ後、支持片９ｂをパネル裏面内で９０°回転させて抜けないようにしておき、支持片９ａを仮止めし、後、ナット９ｅを締め付けることで、当該金具９の取り付けは完了する。必要数の金具９の取り付けを終了すれば、収納棚１１の取り付けは完了する。
尚、レイアウトの変更により、当該収納棚１１の位置を変更する場合には、上記と逆の手順で、金具９を取り外し、所望の位置へ収納棚１１を移動させた後に、更に、上記の手順に従って、金具９を取り付ければ良い。
【００２４】
棚１２その他固定物も同様にして取り付けを行うが、壁掛けテレビ１３など内側から当該金具を取り付けることができないものについては、当該テレビ１３を掛止し得る別途アタッチメント等を当該金具９にて壁へ取り付けることとすれば良い。
【００２５】
次に、同じく図６に基づいて、オーディオセット１７と壁面に取り付けられたスピーカー１４とを繋ぐ配線１４ａおよび２台のスピーカー間を繋ぐ配線１４ｂの配線処理について説明する。
まず、オーディオセット１７からスピーカーへ通じる配線１４ａはオーディオセット背後のパネルスリット部８からパネル裏面へ通し、スピーカーを支持するパネル裏面まで通じている。詳しくは、パネル裏面の周囲縁部立ち上がり２とスペーサー３とで形成される空間内に収納する（図５に示す配線Ｐ）。尚、当該配線１４ａをスペーサー３内に収めることとしても良く（図５に示す配線Ｑ）、その場合、必要に応じて経路となるパネルを一旦取り外し、スペーサー３の切り欠き部４を介して最短距離での配線処理を行えば良い。また、２台のスピーカー１４間の配線１４ｂについても同様に配線処理を行う。
尚、家電製品等の電源コードや接続コード等の配線類は、前記縦横のスリットに沿って、若しくはスペーサー３に設けた切り欠き部４を利用してパネル裏面の空間に隠蔽することで、壁、そして後述の実施例に示すように天井の室内面側に配線が表れることなく、スッキリと見せることができる。
また、図１０に示すように、縦横スリットに沿って配線処理をした場合（図１０（ｂ））と比較して、切り欠き部４を利用すれば、最短距離にて、かつ、パネル裏面に隠蔽しつつ配線の処理をすることが可能となる（図１０（ａ））。後述の天井の場合についても同様である。そして、レイアウト変更に応じて、変更後の家電製品等の設置位置に合わせ、パネル裏面等に配線経路を再確保することも容易である。
【００２６】
また、本実施例の更なるバリエーションとして、図９に示すように、一若しくは複数のパネル１に予めコンセントプレートを取り付け、スペーサー３に設けた切り欠き部４を利用して取り込みコードや電源コード等を配線処理し、かつ、壁体内からの取り込みコード等に余裕を持たせておくことで、家電製品等の電源コードの届く範囲内に、当該コンセントプレートを有するパネル１を移動させ得る結果、家電製品等の位置変更の自由度が更に高まることとなる。
【００２７】
以上の通り、本実施例によれば、壁面の縦横のスリットを利用して、様々な固定物を容易に、かつ、強固に取り付けることができる。
そして、家電製品等の配線処理をパネル１の裏面に隠蔽しつつ接続が可能となるため壁面に配線が表われることがなく、室内をすっきり見せることができ、デザイン的にも効果が非常に高い。更に、縦横スリット部８とともに、スペーサー３に設けた切り欠き部４を利用することで、最短距離による配線経路が確保できることとなる。
また、その他にも、箪笥等の転倒の防止についても有効である。即ち、箪笥上部を当該スリットに固定することにより、防震対策が容易に実現できる。
【００２８】
［実施例２］
本発明の第２の実施例を図１、図２、図４〜図６に基づいて説明する。
本実施例は、天井面に本発明を利用して、固定物を取り付ける技術に関するものである。
【００２９】
図４は第二の実施例に用いる金具を示す斜視図であり、その他の図については、実施例１と同様である。図中、１０は簡易固定用金具、１５はペンダント照明、１６はプランター、１８は物干し用金具、１９は物干し棹である。尚、その他の数字は第一の実施例に示したものと同一の対象を示す。
【００３０】
本実施例におけるパネル１の天井面への取り付けは、実施例１で示した方法と同様である。
プランター等、簡易な天井への固定物の取り付けの際には簡易固定用金具１０を利用する（図４）。当該金具１０の支持片１０ａを、任意の天井のスリット８へ挿入し、９０°回転させて凸部１０ｂをパネル１裏面周囲縁部立ち上がり２に係合させる。そして先端のＵ字形状部に紐等を掛け、プランター１６等を提げることとする。この場合において、プランターの自重で金具１０に荷重がかかり、立ち上がり２と支持片１０ａの凸部１０ｂとの係合により、当該金具１０がスリット８から抜け落ちる心配はない。
【００３１】
プランター１６の位置を変更する場合には、金具はねじ止めしていないことから、若干金具１０を持ち上げ、回転させることで、容易に天井面から外れることから、所望の位置の縦横スリット８へ、容易に移動させることができる。
また、天井吊収納のように天井面へ確実に取り付ける必要があるときは、固定用金具９を用いてスリット８へ取り付けることとする。
また、洗濯物を室内に干す場合において、洗濯棹１９を掛けるべく、簡易固定用金具９の棒状部分１０ｃが長い金具１８を２本、天井面へ同様に取り付けることで、洗濯物等を容易に部屋干しすることが可能となる。
【００３２】
本実施例の更なるバリエーションとして、天井に貼設するパネルの一つに天井照明用のコンセントプレートを設けておくことが考えられる。
テーブルなどのレイアウトの変更に伴いペンダント照明１５の位置を変更したい場合において、当該コンセントプレートを設けたパネルを所望の位置に取り付けるべく、変更後の位置に貼設されている通常のパネルを当該コンセントプレートを設けたパネルと取り替えることで、これまで困難であった照明の位置変更を容易に実現することができるようになった。尚、係る場合には、コンセントプレートに接続されている外部との電源ケーブルは位置変更の自由度を確保すべく長い目に余裕を持たせておくことは言うまでもない。
【００３３】
以上の通り、本実施例によれば、室内配置物のレイアウトの変更に合わせて、照明やプランターといった天井への固定物の位置を容易に変更することが可能となる。更に、天井面のスリット８を利用して、カーテンやパーテーションを取り付けることもできることから、室内を自由に区切ることも可能となり、応用例は多大である。
【発明の効果】
以上、本発明によれば、壁面の縦横のスリットを利用して、任意の位置へ様々な固定物を容易に、かつ、強固に取り付けることができるため、これらのレイアウト変更の自由度が従来に比べて極めて高くなった。
また、天井面へ利用で照明等の固定物の位置変更の他、パーテーション等と組み合わせて利用することで、部屋の利用態様が一層広まることとなる。
そして、壁面、天井面に配線類が現れないことから室内をスッキリと見せることができることから、一般の住宅居室の他、展示物を際立たせる必要のある展示室や展示ブースといった、配置位置変更の自在性を伴いつつ、シンプルなデザイン性が要求されるような場合にも充分対応が可能となる。
【図面の簡単な説明】
【図１】パネルの裏面を示す斜視図
【図２】パネルの表面を示す斜視図
【図３】第一の実施例に用いる金具を示す斜視図
【図４】第二の実施例に用いる金具を示す斜視図
【図５】パネルを壁面に貼設した状態を示す断面図
【図６】本発明を利用した室内の様子を示した参考図
【図７】収納棚を取り付けた状態を示す図
【図８】棚を取り付けた状態を示す図
【図９】パネル表面にコンセントボックス等を取り付けた図
【図１０】最短距離にて配線処理を施したことを示す比較イメージ図
【符号の説明】
１  パネル本体
２  立ち上がり
３  スペーサー
４  切り欠き部
５  ねじ孔
６  木ねじ
７  ねじキャップ
８  スリット
９  固定用金具
１０  簡易固定用金具
１１  収納棚
１２  棚
１３  壁掛けテレビ
１４  スピーカー
１５  ペンダント照明
１６  プランター
１７  オーディオセット
１８  物干し用金具
１９  物干し棹
【図１】
2004353317.tif 000003
【図２】
2004353317.tif 000004
【図３】
2004353317.tif 000005
【図４】
2004353317.tif 000006
【図５】
2004353317.tif 000007
【図６】
2004353317.tif 000008
【図７】
2004353317.tif 000009
【図８】
2004353317.tif 000010
【図９】
2004353317.tif 000011
【図１０】
2004353317.tif 000012